(57)【特許請求の範囲】
【請求項１】
物体側から順に、
正のパワーを有する第１レンズ群と、
負のパワーを有する第２レンズ群と、
後続する少なくとも２つのレンズ群とを備え、
前記２つのレンズ群は、正のパワーを有するレンズ群Ａと、その像側に配置されたレンズ群Ｂとを含み、
ズーミングに際して、各レンズ群の間隔が変化するように、すべてのレンズ群が、光軸に沿った方向に移動し、
無限遠合焦状態から近接合焦状態までのフォーカシングに際して、前記レンズ群Ｂが、光軸に沿った方向に移動し、
ズームレンズ系の振動に起因する像ぶれ補正に際して、前記レンズ群Ａの物体側に配置されたレンズ群全体又はレンズ群の像側の一部のサブレンズ群のいずれかが、光軸に直交する方向に移動し、
以下の条件を満足する、ズームレンズ系：
０．１０＜｜ｆBAK／ｆF｜／（ｆT／ｆW）＜１５．０    ・・・（１）
（ただし、ｆT／ｆW＞４、ωW＜２０°）
ここで、
ｆBAK：フォーカシングレンズ群よりも像側に配置されるレンズ群の広角端での合成焦点
距離、
ｆF：フォーカシングレンズ群の焦点距離、
ｆT：全系の望遠端での焦点距離、
ｆW：全系の広角端での焦点距離、
ωW：広角端での半画角、
である。
【請求項２】
ズームレンズ系の振動に起因する像ぶれ補正に際して、光軸に直交する方向に移動するレンズ群は、全体として負のパワーを有する、請求項１に記載のズームレンズ系。
【請求項３】
以下の条件を満足する、請求項１に記載のズームレンズ系：
０．１０ｍｍ−１＜｜ｆBAK／ｆF｜／ｆW＜１５．０ｍｍ−１    ・・・（２）
（ただし、ｆT／ｆW＞４）
ここで、
ｆBAK：フォーカシングレンズ群よりも像側に配置されるレンズ群の広角端での合成焦点
距離、
ｆF：フォーカシングレンズ群の焦点距離、
ｆW：全系の広角端での焦点距離、
である。
【請求項４】
以下の条件を満足する、請求項１に記載のズームレンズ系：
０．３＜｜ｆF／ｆof｜＜６．０    ・・・（３）
ここで、
ｆF：フォーカシングレンズ群の焦点距離、
ｆof：像ぶれ補正レンズ群からフォーカシングレンズ群までのレンズ群の広角端における合成焦点距離、
である。
【請求項５】
以下の条件を満足する、請求項１に記載のズームレンズ系：
０．５＜｜ｆo／ｆW｜＜２．８    ・・・（４）
（ただし、ｆT／ｆW＞４）
ここで、
ｆo：像ぶれ補正レンズ群の焦点距離、
ｆT：全系の望遠端での焦点距離、
ｆW：全系の広角端での焦点距離、
である。
【請求項６】
請求項１に記載のズームレンズ系と、
前記ズームレンズ系が形成する光学像を受光して、電気的な画像信号に変換する撮像センサを含むカメラ本体と接続されるレンズマウント部とを備える、交換レンズ装置。
【請求項７】
請求項１に記載のズームレンズ系を含む交換レンズ装置と、
前記交換レンズ装置とカメラマウント部を介して着脱可能に接続され、前記ズームレンズ系が形成する光学像を受光して、電気的な画像信号に変換する撮像センサを含むカメラ本体とを備える、カメラシステム。
【発明の詳細な説明】
【技術分野】
【０００１】
本発明は、ズームレンズ系、詳しくは、いわゆるレンズ交換式デジタルカメラシステム（以下、単に「カメラシステム」ともいう）の交換レンズ装置に用いられる撮像レンズ系として好適なズームレンズ系に関する。また、本発明は、上記ズームレンズ系を内蔵した交換レンズ装置、及びカメラシステムに関する。
【背景技術】
【０００２】
ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像素子を持つカメラ本体と、撮像素子の受光面に光学像を形成するための撮像光学系を備えた交換レンズ装置とを備え、撮像レンズ系をカメラ本体から着脱可能にしたレンズ交換式デジタルカメラシステムの市場が急速に拡大している。このような交換レンズ装置は、光学像を変倍可能に形成できるズームレンズ系を搭載したものに人気がある。
【０００３】
ズームレンズ系のうち、特に、望遠系のズームレンズ系は、望遠端の焦点距離が長いことから、光学全長（最も物体側のレンズ面の頂点から像面までの距離）が長くなりやすい。そのため、最も物体側に正のパワーのレンズ群を配置し、最も像側に負のパワーのレンズ群を配置することにより、望遠端における光学全長が望遠端の焦点距離より短くなるようにした構成が多い。
【０００４】
望遠系のズームレンズ系において、諸収差を小さくするために、レンズ群数を多くした構成が提案されており、例えば、正負負正負の５つのレンズ群を用いた構成がある（例えば、特許文献１）。また、望遠系のズームレンズ系では、望遠端の焦点距離が長いために、振動による像ぶれが発生しやすい。そこで、レンズ系全体の姿勢変化に対応させて一部のレンズ群（像ぶれ補正レンズ群）を光軸と垂直な方向に平行移動させる方式が提案されている（例えば、特許文献２、３、４、５）。
【０００５】
特許文献２、３、４の望遠ズームレンズは、いずれも物体側から順に正負負正負の５つのレンズ群で構成され、特許文献５の望遠ズームレンズは物体側から順に正負負正負または正負正正負の５つのレンズ群で構成されている。いずれも、５つのレンズ群のうちの１つのレンズ群を光軸と垂直な方向に平行移動させることにより、像ぶれ補正を行うようにしている。各レンズ群を物体側から順に第１レンズ群、第２レンズ群、‥‥、第５レンズ群と呼ぶことにすると、特許文献２の望遠ズームレンズは第３レンズ群を、特許文献３の望遠ズームレンズは第２レンズ群を、特許文献４の望遠ズームレンズは第４レンズ群を、特許文献５の望遠ズームレンズは第２レンズ群の一部を、光軸と垂直な方向に平行移動させている。
【０００６】
望遠ズームレンズのフォーカシングは最も物体側の第１レンズ群を移動させる方式が一般的であった。第１群の移動によるフォーカシング方式は、第１レンズ群が大きく重いために、高速オートフォーカスができないという問題がある。この問題を解決するために、特許文献５の望遠ズームレンズでは、第４レンズ群を光軸方向に移動させることにより、無限遠から近距離へのフォーカシングが提案されている。
【特許文献１】特許第３１３４４４８号公報
【特許文献２】特開平６−１２３８３６号公報
【特許文献３】特許第３３９５１６９号公報
【特許文献４】特開平６−１３０３３０号公報
【特許文献５】特開平１１−２０２２０１号公報
【発明の開示】
【発明が解決しようとする課題】
【０００７】
レンズ交換式デジタルカメラシステムでは、静止画だけでなく、動画の撮影も要望されるようになった。動画を撮影する場合、オートフォーカスを高速で連続して行う必要がある。
【０００８】
オートフォーカスを高速で連続して行うには、一部のレンズ群（フォーカスレンズ群）を光軸方向に高速で振動させて（ウォブリング）、非合焦状態→合焦状態→非合焦状態を作り出し、撮像素子の出力信号から一部画像領域のある周波数帯の信号成分を検出して、合焦状態となるフォーカスレンズ群の最適位置を求め、その最適位置にフォーカスレンズ群を移動させ、この一連の動作を繰り返す方法が考えられる。動画の表示は、フリッカなど違和感を生じないようにするために、例えば３０フレーム／秒の高速で行う必要があり、撮影も基本的には同じ３０フレーム／秒で行う必要がある。そのため、動画でオートフォーカスを行うには、フォーカスレンズ群を３０Ｈｚの高速で連続してウォブリングさせる必要がある。
【０００９】
上記のようなウォブリングを導入する場合、ウォブリング時に被写体に対応する画像の大きさが変化することに注意する必要がある。これは、主に、フォーカスレンズ群の光軸方向への移動によりレンズ系全体の焦点距離が変化することに起因するものである。ウォブリングによる撮影倍率の変化が大きい場合には違和感を生じることになる。
【００１０】
以上のことを考えると、鏡筒の最大径を小さくするには、像ぶれ補正レンズ群とフォーカスレンズ群を極力軽くする必要があり、そのためには、像ぶれ補正レンズ群とフォーカスレンズ群を構成する各レンズ素子の外径を極力小さくし、各レンズ群の重量を極力軽くする必要がある。以上の観点から、前述の特許文献を見ると、次のように、それぞれ問題のあることが分かる。
【００１１】
例えば、特許文献１〜４のズームレンズ系は、像ぶれ補正について何ら言及していない。また、特許文献５のズームレンズ系は、フォーカシングのために移動する第４レンズ群も３枚または４枚のレンズで構成されていることから、重量が重い。そのために、第４レンズ群を移動させるモータやアクチュエータが大きくなるという問題がある。
【００１２】
本発明は、上記課題に鑑み、像ぶれ補正機能を搭載し、結像特性が良好でコンパクトなズームレンズ系、またそのズームレンズ系を用いたカメラシステムを提供することを目的とする。
【課題を解決するための手段】
【００１３】
本発明に係るズームレンズ系は、物体側から順に、正のパワーを有する第１レンズ群と、負のパワーを有する第２レンズ群と、後続する少なくとも２つのレンズ群とを備え、
前記２つのレンズ群は、正のパワーを有するレンズ群Ａと、その像側に配置されたレンズ群Ｂとを含み、ズーミングに際して、各レンズ群の間隔が変化するように、すべてのレンズ群が、光軸に沿った方向に移動し、無限遠合焦状態から近接合焦状態までのフォーカシングに際して、前記レンズ群Ｂが、光軸に沿った方向に移動し、ズームレンズ系の振動に起因する像ぶれ補正に際して、前記レンズ群Ａの物体側に配置されたレンズ群全体又はレンズ群の像側の一部のサブレンズ群のいずれかが、光軸に直交する方向に移動し、以下の条件を満足する。
０．１０＜｜ｆBAK／ｆF｜／（ｆT／ｆW）＜１５．０    ・・・（１）
（ただし、ｆT／ｆW＞４、ωW＜２０°）
ここで、
ｆBAK：フォーカシングレンズ群よりも像側に配置されるレンズ群の広角端での合成焦点
距離、
ｆF：フォーカシングレンズ群の焦点距離、
ｆT：全系の望遠端での焦点距離、
ｆW：全系の広角端での焦点距離、
ωW：広角端での半画角、
である。
【００１４】
また、本発明に係る交換レンズ装置は、上記のズームレンズ系と、ズームレンズ系が形成する光学像を受光して、電気的な画像信号に変換する撮像センサを含むカメラ本体と接続されるレンズマウント部とを備える。
【００１５】
更に、本発明に係るカメラシステムは、上記のズームレンズ系を含む交換レンズ装置と、交換レンズ装置とカメラマウント部を介して着脱可能に接続され、ズームレンズ系が形成する光学像を受光して、電気的な画像信号に変換する撮像センサを含むカメラ本体とを備える。
【発明の効果】
【００１６】
本発明によれば、フォーカシングレンズ群がコンパクトでフォーカシングレンズ群移動時の像倍率変化の小さいズームレンズ系、ズームレンズ系を有する交換レンズ装置、及びカメラシステムを提供することができる。
【発明を実施するための最良の形態】
【００１７】
図１、５、９、１３、１７、２１、２５、２９は、いずれも無限遠合焦状態にあるズームレンズ系を表している。
【００１８】
各図において、（ａ）図は広角端（最短焦点距離状態：焦点距離ｆW）のレンズ構成、（ｂ）図は、中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。更に各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１９】
図１、５、９、１３、１７、２１、２５、２９において、特定の面に付されたアスタリスク＊は、該面が非球面であることを示している。また各図において、各レンズ群の符号に付された記号（＋）及び記号（−）は、各レンズ群のパワーの符号に対応する。更に各図において、最も右側に記載された直線は、像面Ｓの位置を表す。
【００２０】
（実施の形態１）
実施の形態１に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４と、負のパワーを有する第５Ａレンズ群Ｇ５Ａと、正のパワーを有する第５Ｂレンズ群Ｇ５Ｂとを備える。
【００２１】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【００２２】
第２レンズ群Ｇ２は、物体側から像側へと順に、物体側に凸面を向けた負メニスカス形状の第４レンズ素子Ｌ４と、物体側に凸面を向けた正メニスカス形状の第５レンズ素子Ｌ５とからなる。
【００２３】
第３レンズ群Ｇ３は、両凹形状の第６レンズ素子Ｌ６と、物体側に凸面を向けた正メニスカス形状の第７レンズ素子Ｌ７からなる。
【００２４】
第４レンズ群Ｇ４は、物体側に凹面を向けた正メニスカス形状の第８レンズ素子Ｌ８と、両凸形状の第９レンズ素子Ｌ９と、物体側に凸面を向けた負メニスカス形状の第１０レンズ素子Ｌ１０と、両凸形状の第１１レンズ素子Ｌ１１と、両凸形状の第１２レンズ素子Ｌ１２と、物体側に凹面を向けた負メニスカス形状の第１３レンズ素子Ｌ１３からなる。第１０レンズ素子と第１１レンズ素子Ｌ１１とは、互いに接合されている。また、第１２レンズ素子Ｌ１２と第１３レンズ素子Ｌ１３は、互いに接合されている。
【００２５】
第５Ａレンズ群Ｇ５Ａは、像側に凹面を向けた負メニスカス形状の第１４レンズ素子Ｌ１４からなる。
【００２６】
第５Ｂレンズ群Ｇ５Ｂは、両凸形状の第１５レンズ素子Ｌ１５と、物体側に凸面を向けた負メニスカス形状の第１６レンズ素子Ｌ１６からなる。
【００２７】
広角端から望遠端へのズーミング時には、各レンズ群は、それぞれ光軸に沿った方向に移動する。
【００２８】
開口絞りＡは、第３レンズ群Ｇ３と第４レンズ群Ｇ４と間に配置され、第３レンズ群Ｇ３と共に移動する。
【００２９】
また、無限遠合焦状態から近接合焦状態へのフォーカシング時には、第５Ａレンズ群Ｇ５Ａが光軸に沿って像側へと移動する。
【００３０】
更に、系全体に加わる振動に起因する像ぶれを補正するために、第３レンズ群Ｇ３が光軸と直交する方向に移動する。
【００３１】
なお、最も像側に配置された平面板Ｌ１５は、ローパスフィルタやフェースプレートに対応する。
【００３２】
（実施の形態２）
実施の形態２に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４と、負のパワーを有する第５レンズ群Ｇ５と、正のパワーを有する第５Ｂレンズ群Ｇ５Ｂとを備える。
【００３３】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【００３４】
第２レンズ群Ｇ２は、物体側から像側へと順に、両凹形状の第４レンズ素子Ｌ４と、両凸形状の第５レンズ素子Ｌ５とからなる。
【００３５】
第３レンズ群Ｇ３は、両凹形状の第６レンズ素子Ｌ６と、物体側に凸面を向けた正メニスカス形状の第７レンズ素子Ｌ７からなる。
【００３６】
第４レンズ群Ｇ４は、物体側に凹面を向けた正メニスカス形状の第８レンズ素子Ｌ８と、両凸形状の第９レンズ素子Ｌ９と、物体側に凸面を向けた負メニスカス形状の第１０レンズ素子Ｌ１０と、両凸形状の第１１レンズ素子Ｌ１１と、両凸形状の第１２レンズ素子Ｌ１２からなる。
【００３７】
第５Ａレンズ群Ｇ５Ａは、両凹形状の第１３レンズ素子Ｌ１３からなる。
【００３８】
第５Ｂレンズ群Ｇ５Ｂは、物体側に凸面を向けた正メニスカス形状の第１４レンズ素子Ｌ１４からなる。
【００３９】
広角端から望遠端へのズーミング時には、各レンズ群は、それぞれ光軸に沿った方向に移動する。
【００４０】
開口絞りＡは、第３レンズ群Ｇ３と第４レンズ群Ｇ４と間に配置され、第３レンズ群Ｇ３と共に移動する。
【００４１】
また、無限遠合焦状態から近接合焦状態へのフォーカシング時には、第５Ａレンズ群Ｇ５Ａが光軸に沿って像側へと移動する。
【００４２】
更に、系全体に加わる振動に起因する像ぶれを補正するために、第３レンズ群Ｇ３が光軸と直交する方向に移動する。
【００４３】
なお、最も像側に配置された平面板Ｌ１５は、ローパスフィルタやフェースプレートに対応する。
【００４４】
（実施の形態３）
実施の形態３に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４と、正のパワーを有する第５Ａレンズ群Ｇ５Ａと、負のパワーを有する第５Ｂレンズ群Ｇ５Ｂとを備える。
【００４５】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【００４６】
第２レンズ群Ｇ２は、物体側から像側へと順に、両凹形状の第４レンズ素子Ｌ４と、両凸形状の第５レンズ素子Ｌ５とからなる。
【００４７】
第３レンズ群Ｇ３は、両凹形状の第６レンズ素子Ｌ６と、物体側に凸面を向けた正メニスカス形状の第７レンズ素子Ｌ７からなる。第６レンズ素子Ｌ６と第７レンズ素子Ｌ７とは、互いに接合されている。
【００４８】
第４レンズ群Ｇ４は、両凸形状の第８レンズ素子Ｌ８と、両凸形状の第９レンズ素子Ｌ９と、物体側に凹面を向けた負メニスカス形状の第１０レンズ素子Ｌ１０からなる。第９レンズ素子Ｌ９と第１０レンズ素子Ｌ１０とは、互いに接合されている。
【００４９】
第５Ａレンズ群Ｇ５Ａは、物体側に凹面を向けた正メニスカス形状の第１１レンズ素子Ｌ１１と、両凸形状の第１２レンズ素子Ｌ１２からなる。
【００５０】
第５Ｂレンズ群Ｇ５Ｂは、物体側に凸面を向けた負メニスカス形状の第１３レンズ素子Ｌ１３からなる。
【００５１】
広角端から望遠端へのズーミング時には、各レンズ群は、それぞれ光軸に沿った方向に移動する。
【００５２】
開口絞りＡは、第３レンズ群Ｇ３と第４レンズ群Ｇ４と間に配置され、第３レンズ群Ｇ３と共に移動する。
【００５３】
また、無限遠合焦状態から近接合焦状態へのフォーカシング時には、第５Ａレンズ群Ｇ５Ａが光軸に沿って物体側へと移動する。
【００５４】
更に、系全体に加わる振動に起因する像ぶれを補正するために、第３レンズ群Ｇ３が光軸と直交する方向に移動する。
【００５５】
なお、最も像側に配置された平面板Ｌ１４は、ローパスフィルタやフェースプレートに対応する。
【００５６】
（実施の形態４）
実施の形態４に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、負のパワーを有する第５レンズ群Ｇ５とを備える。
【００５７】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【００５８】
第２レンズ群Ｇ２は、物体側から像側へと順に、両凹形状の第４レンズ素子Ｌ４と、物体側に凸面を向けた正メニスカス形状の第５レンズ素子Ｌ５と、両凹形状の第６レンズ素子Ｌ６と、物体側に凸面を向けた正メニスカス形状の第７レンズ素子Ｌ７からなる。第４レンズ素子Ｌ４と第５レンズ素子Ｌ５とは、互いに接合されている。第６レンズ素子Ｌ６と第７レンズ素子Ｌ７とは、互いに接合されている。
【００５９】
第３レンズ群Ｇ３は、両凸形状の第８レンズ素子Ｌ８と、両凸形状の第９レンズ素子Ｌ９と、物体側に凹面を向けた負メニスカス形状の第１０レンズ素子Ｌ１０からなる。第９レンズ素子Ｌ９と第１０レンズ素子Ｌ１０とは、互いに接合されている。
【００６０】
第４レンズ群Ｇ４は、両凸形状の第１１レンズ素子Ｌ１１と、両凸形状の第１２レンズ素子Ｌ１２からなる。
【００６１】
第５レンズ群Ｇ５は、両凹形状の第１３レンズ素子Ｌ１３からなる。
【００６２】
広角端から望遠端へのズーミング時には、各レンズ群は、それぞれ光軸に沿った方向に移動する。
【００６３】
開口絞りＡは、第２レンズ群Ｇ２と第３レンズ群Ｇ３と間に配置され、第２レンズ群Ｇ２と共に移動する。
【００６４】
また、無限遠合焦状態から近接合焦状態へのフォーカシング時には、第４レンズ群Ｇ４が光軸に沿って物体側へと移動する。
【００６５】
更に、系全体に加わる振動に起因する像ぶれを補正するために、第２レンズ群Ｇ２の第６レンズ素子Ｌ６と第７レンズ素子Ｌ７とを接合した接合レンズ素子が光軸と直交する方向に移動する。
【００６６】
なお、最も像側に配置された平面板Ｌ１４は、ローパスフィルタやフェースプレートに対応する。
【００６７】
（実施の形態５）
実施の形態５に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４Ａレンズ群Ｇ４Ａと、正のパワーを有する第４Ｂレンズ群Ｇ４Ｂとを備える。
【００６８】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【００６９】
第２レンズ群Ｇ２は、物体側から像側へと順に、物体側に凸面を向けた負メニスカス形状の第４レンズ素子Ｌ４と、物体側に凸面を向けた正メニスカス形状の第５レンズ素子Ｌ５と、両凹形状の第６レンズ素子Ｌ６と、物体側に凸面を向けた正メニスカス形状の第７レンズ素子Ｌ７からなる。
【００７０】
第３レンズ群Ｇ３は、像側に凸面を向けた正メニスカス形状の第８レンズ素子Ｌ８と、像側に凸面を向けた正メニスカス形状の第９レンズ素子Ｌ９と、物体側に凸面を向けた負メニスカス形状の第１０レンズ素子Ｌ１０と、両凸形状の第１１レンズ素子Ｌ１１と、両凸形状の第１２レンズ素子Ｌ１２と、像側に凸面を向けた負メニスカス形状の第１３レンズ素子Ｌ１３とからなる。第１０レンズ素子Ｌ１０と第１１レンズ素子Ｌ１１とは、互いに接合されている。第１２レンズ素子Ｌ１２と第１３レンズ素子Ｌ１３とは、互いに接合されている。
【００７１】
第４Ａレンズ群Ｇ４Ａは、両凹形状の第１４レンズ素子Ｌ１４からなる。
【００７２】
第４Ｂレンズ群Ｇ４Ｂは、両凸形状の第１５レンズ素子Ｌ１２と、物体側に凸面を向けた第１６レンズ素子Ｌ１６からなる。
【００７３】
広角端から望遠端へのズーミング時には、各レンズ群は、それぞれ光軸に沿った方向に移動する。
【００７４】
開口絞りＡは、第２レンズ群Ｇ２と第３レンズ群Ｇ３と間に配置され、第２レンズ群Ｇ２と共に移動する。
【００７５】
また、無限遠合焦状態から近接合焦状態へのフォーカシング時には、第４Ａレンズ群Ｇ４Ａが光軸に沿って像側へと移動する。
【００７６】
更に、系全体に加わる振動に起因する像ぶれを補正するために、第２レンズ群Ｇ２の第６レンズ素子Ｌ６と第７レンズ素子Ｌ７とを接合した接合レンズ素子が光軸と直交する方向に移動する。
【００７７】
なお、最も像側に配置された平面板Ｌ１７は、ローパスフィルタやフェースプレートに対応する。
【００７８】
（実施の形態６）
実施の形態６に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、負のパワーを有する第５レンズ群Ｇ５とを備える。
【００７９】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【００８０】
第２レンズ群Ｇ２は、物体側から像側へと順に、両凹形状の第４レンズ素子Ｌ４と、両凸形状の第５レンズ素子Ｌ５と、両凹形状の第６レンズ素子Ｌ６と、物体側に凸面を向けた正メニスカス形状の第７レンズ素子Ｌ７からなる。第４レンズ素子Ｌ４と第５レンズ素子Ｌ５とは、互いに接合されている。第６レンズ素子Ｌ６と第７レンズ素子Ｌ７とは、互いに接合されている。
【００８１】
第３レンズ群Ｇ３は、両凸形状の第８レンズ素子Ｌ８と、両凸形状の第９レンズ素子Ｌ９と、物体側に凸面を向けた負メニスカス形状の第１０レンズ素子Ｌ１０からなる。第９レンズ素子Ｌ９と第１０レンズ素子Ｌ１０とは、互いに接合されている。
【００８２】
第４レンズ群Ｇ４は、物体側に凹面を向けた正メニスカス形状の第１１レンズ素子Ｌ１１と、像側に凸面を向けた負メニスカス形状の第１２レンズ素子Ｌ１２と、両凸形状の第１３レンズ素子Ｌ１３からなる。
【００８３】
第５レンズ群Ｇ５は、両凹形状の第１４レンズ素子Ｌ１４からなる。
【００８４】
広角端から望遠端へのズーミング時には、各レンズ群は、それぞれ光軸に沿った方向に移動する。
【００８５】
開口絞りＡは、第２レンズ群Ｇ２と第３レンズ群Ｇ３と間に配置され、第３レンズ群Ｇ３と共に移動する。
【００８６】
また、無限遠合焦状態から近接合焦状態へのフォーカシング時には、第４レンズ群Ｇ４が光軸に沿って物体側へと移動する。
【００８７】
更に、系全体に加わる振動に起因する像ぶれを補正するために、第２レンズ群Ｇ２の第６レンズ素子Ｌ６と第７レンズ素子Ｌ７とを接合した接合レンズ素子が光軸と直交する方向に移動する。
【００８８】
なお、最も像側に配置された平面板Ｌ１５は、ローパスフィルタやフェースプレートに対応する。
【００８９】
（実施の形態７）
実施の形態７に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第４Ａレンズ群Ｇ４Ａと、負のパワーを有する第５レンズ群Ｇ５とを備える。
【００９０】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【００９１】
第２レンズ群Ｇ２は、物体側から像側へと順に、両凹形状の第４レンズ素子Ｌ４と、両凸形状の第５レンズ素子Ｌ５と、両凹形状の第６レンズ素子Ｌ６と、物体側に凸面を向けた正メニスカス形状の第７レンズ素子Ｌ７からなる。第４レンズ素子Ｌ４と第５レンズ素子Ｌ５とは、互いに接合されている。第６レンズ素子Ｌ６と第７レンズ素子Ｌ７とは、互いに接合されている。
【００９２】
第３レンズ群Ｇ３は、両凸形状の第８レンズ素子Ｌ８と、両凸形状の第９レンズ素子Ｌ９と、物体側に凹面を向けた負メニスカス形状の第１０レンズ素子Ｌ１０からなる。第９レンズ素子Ｌ９と第１０レンズ素子Ｌ１０とは、互いに接合されている。
【００９３】
第４レンズ群Ｇ４は、両凸形状の第１１レンズ素子Ｌ１１と、両凹形状の第１２レンズ素子Ｌ１２からなる。第１１レンズ素子Ｌ１１と第１２レンズ素子Ｌ１２とは、互いに接合されている。
【００９４】
第４Ａレンズ群Ｇ４Ａは、両凸形状の第１３レンズ素子Ｌ１３からなる。
【００９５】
第５レンズ群Ｇ５は、両凹形状の第１４レンズ素子Ｌ１４からなる。
【００９６】
広角端から望遠端へのズーミング時には、各レンズ群は、それぞれ光軸に沿った方向に移動する。
【００９７】
開口絞りＡは、第２レンズ群Ｇ２と第３レンズ群Ｇ３と間に配置され、第３レンズ群Ｇ３と共に移動する。
【００９８】
また、無限遠合焦状態から近接合焦状態へのフォーカシング時には、第４レンズ群Ｇ４が光軸に沿って像側へと移動する。
【００９９】
更に、系全体に加わる振動に起因する像ぶれを補正するために、第２レンズ群Ｇ２の第６レンズ素子Ｌ６と第７レンズ素子Ｌ７とを接合した接合レンズ素子が光軸と直交する方向に移動する。
【０１００】
なお、最も像側に配置された平面板Ｌ１５は、ローパスフィルタやフェースプレートに対応する。
【０１０１】
（実施の形態８）
実施の形態８に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４と、負のパワーを有する第５Ａレンズ群Ｇ５Ａと、負のパワーを有する第５Ｂレンズ群Ｇ５Ｂとを備える。
【０１０２】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【０１０３】
第２レンズ群Ｇ２は、物体側から像側へと順に、物体側に凸面を向けた第４レンズ素子Ｌ４と、両凹形状の第５レンズ素子Ｌ５と、物体側に凸面を向けた正メニスカス形状の第６レンズ素子Ｌ６からなる。
【０１０４】
第３レンズ群Ｇ３は、物体側から像側へと順に、物体側に凹面を向けた正メニスカス形状の第７レンズ素子Ｌ７と、両凹形状の第８レンズ素子Ｌ８と、物体側に凸面を向けた性メニスカス形状の第９レンズ素子Ｌ９とからなる。第８レンズ素子Ｌ８と第９レンズ素子Ｌ９とは、互いに接合されている。
【０１０５】
第４レンズ群Ｇ４は、物体側から像側へと順に、両凸形状の第１０レンズ素子Ｌ１０と、両凸形状の第１１レンズ素子Ｌ１１と、両凹形状の第１２レンズ素子Ｌ１２と、両凸形状の第１３レンズ素子Ｌ１３と、物体側に凸面を向けた負メニスカス形状の第１４レンズ素子Ｌ１４と、両凸形状の第１５レンズ素子Ｌ１５からなる。第１４レンズ素子Ｌ１４と第１５レンズ素子Ｌ１５とは、互いに接合されている。
【０１０６】
第５Ａレンズ群Ｇ５Ａは、物体側から像側へと順に、物体側に凹面を向けた正メニスカス形状の第１６レンズ素子と、像側に凸面を向けた負メニスカス形状の第１７レンズ素子からなる。第１６レンズ素子Ｌ１６と第１７レンズ素子Ｌ１７とは、互いに接合されている。
【０１０７】
第５Ｂレンズ群Ｇ５Ｂは、物体側から像側へ順に、両凸形状の第１８レンズ素子Ｌ１８と、像側に凸面を向けた負メニスカス形状の第１９レンズ素子Ｌ１９と、物体側に凸面を向けた正メニスカス形状の第２０レンズ素子Ｌ２０からなる。
【０１０８】
広角端から望遠端へのズーミング時には、各レンズ群は、それぞれ光軸に沿った方向に移動する。
【０１０９】
開口絞りＡは、第３レンズ群Ｇ３と第４レンズ群Ｇ４と間に配置され、第４レンズ群Ｇ４と共に移動する。
【０１１０】
また、無限遠合焦状態から近接合焦状態へのフォーカシング時には、第５レンズ群Ｇ５が光軸に沿って像側へと移動する。
【０１１１】
更に、系全体に加わる振動に起因する像ぶれを補正するために、第３レンズ群Ｇ３が光軸と直交する方向に移動する。
【０１１２】
なお、最も像側に配置された平面板Ｌ２１は、ローパスフィルタやフェースプレートに対応する。
【０１１３】
以下、各実施の形態に係るズームレンズ系が満足すべき条件を説明する。なお、各実施の形態に係るズームレンズ系において、複数の満足すべき条件が規定されるが、適合する条件をできるだけ多く満足するズームレンズ系の構成が最も望ましい。しかしながら、個別の条件を満足することにより、それぞれ対応する効果を奏するズームレンズ系を得ることも可能である。
【０１１４】
各実施の形態のズームレンズ系のうち、望遠系のズームレンズ系でフォーカシングレンズ群が最像側にない構成である実施の形態のズームレンズ系は、以下の条件を満足することが望ましい。
０．１０＜｜ｆBAK／ｆF｜／（ｆT／ｆW）＜１５．０    ・・・（１）
（ただし、ｆT／ｆW＞４、ωW＜２０°）
ここで、
ｆBAK：フォーカシングレンズ群よりも像側に配置されるレンズ群の広角端での合成焦点距離、
ｆF：フォーカシングレンズ群の焦点距離、
ｆT：全系の望遠端での焦点距離、
ｆW：全系の広角端での焦点距離、
ωW：広角端での半画角、
である。
【０１１５】
条件（１）は、フォーカシングレンズ群と後続するレンズ群との焦点距離に関する条件である。条件（１）の上限を上回ると、フォーカシングレンズ群より像側に配置されるレンズ群の焦点距離が大きくなり過ぎ、全長が増大してコンパクトなズームレンズ系を実現することが困難になる。逆に、条件（１）の下限を下回ると、フォーカシングレンズ群の焦点距離と比較してフォーカシングレンズ群より像側に配置されるレンズ群の焦点距離が短くなり、フォーカシングにより発生する収差変動を後続群で補正することが困難になり好ましくない。
【０１１６】
各実施の形態のズームレンズ系のうち、望遠系のズームレンズ系でフォーカシングレンズ群が最像側にない構成である実施の形態のズームレンズ系は、以下の条件を満足することが望ましい。
０．１０ｍｍ−１＜｜ｆBAK／ｆF｜／ｆW＜１５．０ｍｍ−１    ・・・（２）
（ただし、ｆT／ｆW＞４）
ここで、
ｆBAK：フォーカシングレンズ群よりも像側に配置されるレンズ群の広角端での合成焦点
距離、
ｆF：フォーカシングレンズ群の焦点距離、
ｆW：全系の広角端での焦点距離、
である。
【０１１７】
条件（２）は、フォーカシングレンズ群と後続するレンズ群との焦点距離に関する条件である。条件（２）の上限を上回ると、フォーカシングレンズ群より像側に配置されるレンズ群の焦点距離が大きくなり過ぎ、全長が増大してコンパクトなズームレンズ系を実現することが困難になる。逆に、条件（２）の下限を下回ると、フォーカシングレンズ群の焦点距離と比較してフォーカシングレンズ群より像側に配置されるレンズ群の焦点距離が短くなり、フォーカシングにより発生する収差変動を後続群で補正することが困難になり好ましくない。
【０１１８】
各実施の形態のズームレンズ系のように、フォーカシングレンズ群より物体側に像ぶれ補正レンズ群がある場合、以下の条件を満足することが望ましい。
０．３＜｜ｆF／ｆof｜＜６．０    ・・・（３）
ここで、
ｆF：フォーカシングレンズ群の焦点距離、
ｆof：像ぶれ補正レンズ群からフォーカシングレンズ群までのレンズ群の広角端における合成焦点距離、
である。
【０１１９】
条件（３）は、像ぶれ補正レンズ群とフォーカシングレンズ群との焦点距離に関する条件である。条件（３）の上限を上回ると、像ぶれ補正レンズ群からフォーカシングレンズ群までのレンズ群の広角端における合成焦点距離が小さくなりすぎて、像ぶれ補正により発生する軸外収差の補正が困難になり、好ましくない。逆に、条件（３）の下限を下回ると、像ぶれ補正レンズ群からフォーカシングレンズ群までの合成焦点距離に対するフォーカシングレンズ群の焦点距離が短くなり、フォーカシング時の収差変動も大きくなり補正が困難になる。
【０１２０】
各実施の形態のズームレンズ系のように、フォーカシングレンズ群より物体側に像ぶれ補正レンズ群がある場合、以下の条件を満足することが望ましい。
０．５＜｜ｆo／ｆW｜＜２．８    ・・・（４）
（ただし、ｆT／ｆW＞４）
ここで、
ｆo：像ぶれ補正レンズ群の焦点距離、
ｆT：全系の望遠端での焦点距離、
ｆW：全系の広角端での焦点距離、
である。
【０１２１】
条件（４）は、像ぶれ補正レンズ群の焦点距離を規定する。条件（４）の上限を上回ると、像ぶれ補正レンズ群の焦点距離が長くなりすぎるので、像ぶれ補正の際のレンズ群の移動が大きくなり好ましくない。逆に、条件（４）の下限を下回ると、像ぶれ補正レンズ群の焦点距離が短くなり、像ぶれ補正の際に発生する軸外の収差変動を後続群で補正することが困難になり好ましくない。
【０１２２】
なお、各実施の形態を構成している各レンズ群は、入射光線を屈折により偏向させる屈折型レンズ素子（つまり、異なる屈折率を有する媒質同士の界面で偏向が行われるタイプのレンズ）のみで構成されているが、これに限らない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。
【０１２３】
（実施の形態９）
図３３は、実施の形態９に係るカメラシステムのブロック図である。実施の形態９に係るカメラシステムは、カメラ本体１００と、交換レンズ装置２００とを含む。
【０１２４】
カメラ本体１００は、カメラコントローラ１０１、撮像センサ１０２、シャッタユニット１０３、画像表示制御部１０４、撮像センサ制御部１０５、コントラスト検出部１０６、シャッタ制御部１０７、画像記録制御部１０８、ディスプレイ１１０、レリーズ釦１１１、メモリ１１２、電源１１３及びカメラマウント１１４を含む。
【０１２５】
カメラコントローラ１０１は、カメラシステム全体を制御する演算装置である。カメラコントローラ１０１は、画像表示制御部１０４と、撮像センサ制御部１０５と、コントラスト検出部１０６と、シャッタ制御部１０７と、画像記録制御部１０８と、メモリ１１２と、カメラマウント１１４と電気的に接続され相互に信号のやり取りが可能である。また、カメラコントローラ１０１は、レリーズ釦１１１と電気的に接続され、レリーズ釦１１１の操作による信号を受信する。さらに、カメラコントローラ１０１は、電源１１３と接続される。
【０１２６】
撮像センサ１０２は、例えばＣ−ＭＯＳセンサである。撮像センサ１０２は、受光面に入射した光学像を画像データに変換して出力する。撮像センサ１０２は、撮像センサ制御部１０５からの駆動信号に応じて駆動される。撮像センサ制御部１０５は、カメラコントローラ１０１からの制御信号に応じて、撮像センサ１０２を駆動する駆動信号を出力するとともに、撮像センサ１０２から出力される画像データをカメラコントローラ１０１へ出力する。コントラスト検出部１０６は、カメラコントローラ１０１からの制御信号に応じて、撮像センサ１０２から出力される画像データからコントラストを演算して検出し、カメラコントローラ１０１へ出力する。
【０１２７】
シャッタユニット１０３は、撮像センサ１０２に入射する画像光の光路を遮断するシャッタ板を含む。シャッタユニット１０３は、シャッタ制御部１０７からの駆動信号に応じて駆動される。シャッタ制御部１０７は、カメラコントローラ１０１からの制御信号に応じて、シャッタユニット１０３のシャッタ板の開閉タイミングを制御する。
【０１２８】
ディスプレイ１１０は、例えば液晶表示装置である。ディスプレイ１１０は、画像表示制御部１０４からの駆動信号に応じて駆動され、表示面に画像を表示する。画像表示制御部１０４は、カメラコントローラ１０１からの制御信号に応じて、ディスプレイ１１０に表示する画像データとディスプレイを駆動する駆動信号を出力する。
【０１２９】
画像記録制御部１０８は、カメラコントローラ１０１からの制御信号に応じて、画像データを着脱可能に接続されたメモリカード１０９に出力する。
【０１３０】
カメラマウント１１４は、カメラ本体２００と後述する交換レンズ装置２００とを機構的に接続する。また、カメラマウント１１４は、カメラ本体２００と後述する交換レンズ装置２００とを電気的に接続するインターフェースとしても機能する。
【０１３１】
交換レンズ装置２００は、レンズコントローラ２０１、像ぶれ制御部２０２、絞り制御部２０３、フォーカス制御部２０４、ズーム制御部２０５、メモリ２０６、ぶれ検出部２０７、絞りユニット２０８、ズームレンズ系２０９（ズームレンズ群２０９ａ、フォーカシングレンズ群２０９ｂ、像ぶれ補正レンズ群２０９ｃ）及びレンズマウント２１０を含む。
【０１３２】
レンズコントローラ２０１は、交換レンズ装置２００の全体を制御する演算装置であり、レンズマウント２１０及びカメラマウント１１４を介して前述したカメラ本体にあるカメラコントローラ１１４と接続される。レンズコントローラ２０１は、像ぶれ制御部２０２、絞り制御部２０３、フォーカス制御部２０４、ズーム制御部２０５、メモリ２０６及びぶれ検出部２０７と電気的に接続され相互に信号のやり取りが可能である。
【０１３３】
ズームレンズ系２０９は、上述した実施の形態１のズームレンズ系である。ズームレンズ系２０９は、ズームレンズ群２０９ａ、フォーカシングレンズ群２０９ｂ及び像ぶれ補正レンズ群２０９ｃを含む。なお、ズームレンズ群２０９ａ、フォーカシングレンズ群２０９ｂ及び像ぶれ補正レンズ群２０９ｃの分類は、説明を簡単にするために模式化しているので、実際のズームレンズ系の構成を直接示してはいない。ズームレンズ系２０９は、ズームレンズ群２０９ａを光軸に沿った方向に移動させて、ズーミングを行う。ズームレンズ系２０９は、フォーカシングレンズ群２０９ｂを光軸に沿った方向に移動させて、フォーカシングを行う。また、ズームレンズ系２０９は、像ぶれ補正レンズ群２０９ｃを光軸に直交する方向に移動させて、像ぶれ補正を行う。
【０１３４】
像ぶれ制御部２０２は、レンズコントローラ２０１からの制御信号に応じて、像ぶれ補正レンズ群２０９ｃの現在の位置を検出して出力する。また、像ぶれ制御部２０２は、像ぶれ補正レンズ群２０９ｃを駆動する駆動信号を出力して、像ぶれ補正レンズ群２０９ｃを光軸と直交する方向に駆動する。
【０１３５】
絞り制御部２０３は、レンズコントローラ２０１からの制御信号に応じて、絞りユニット２０８の現在の位置を検出して出力する。また、絞り制御部２０３は、絞りユニット２０８に含まれる絞り羽根を駆動する駆動信号を出力して絞りを開閉し、光学系のＦナンバーを変更する。
【０１３６】
フォーカス制御部２０４は、レンズコントローラ２０１からの制御信号に応じて、フォーカシングレンズ群２０９ｂの現在の位置を検出して出力する。また、フォーカス制御部２０４は、フォーカシング群２０９ｂを駆動する駆動信号を出力して、フォーカシングレンズ群２０９ｂを光軸に沿った方向に駆動する。
【０１３７】
ズーム制御部２０５は、レンズコントローラ２０１からの制御信号に応じて、ズームレンズ群２０９ａの現在の位置を検出して出力する。また、ズーム制御部２０５は、ズームレンズ群２０９ａを駆動する駆動信号を出力して、ズームレンズ群２０９ｂを光軸に沿った方向に駆動する。
【０１３８】
以上の構成において、レリーズ釦１１１が半押しされると、カメラコントローラ１０１は、オートフォーカスのルーチンを実行する。はじめに、カメラコントローラ１０１は、カメラマウント１１４及びレンズマウント２１０を介して、レンズコントローラ２０１と通信し、ズームレンズ群２０９ａ、フォーカシングレンズ群２０９ｂ、像ぶれ補正レンズ群２０９ｃ及び絞りユニット２０８の状態を検出する。
【０１３９】
次に、カメラコントローラ１０１は、カメラマウント１１４及びレンズマウント２１０を介して、レンズコントローラ２０１と通信し、レンズコントローラ２０１にフォーカシングレンズ群２０９ｂをウォブリング駆動する制御信号を出力する。レンズコントローラ２０１は、制御信号に基づいてフォーカス制御部２０４を制御して、フォーカシングレンズ群２０９ｂをウォブリング駆動する。カメラコントローラ１０１は、同時にカメラマウント１１４及びレンズマウント２１０を介して、レンズコントローラ２０１と通信し、レンズコントローラ２０１に絞り値が所定の値となるように指示する制御信号を出力する。レンズコントローラ２０１は、制御信号に基づいて絞り制御部２０３を制御して、絞りユニット２０８の絞り羽根を所定のＦナンバーとなるように駆動する。
【０１４０】
一方、カメラコントローラ１０１は、撮像センサ制御部１０５及びコントラスト検出部１０６に、制御信号を出力する。撮像センサ制御部１０５及びコントラスト検出部１０６は、それぞれフォーカシングレンズ群２０９のウォブリング駆動のサンプリング周波数と関連付けて、撮像センサ１０２からの出力を得る。撮像センサ制御部１０５は、カメラコントローラ１０１からの制御信号に基づいて、光学像に対応する画像データをカメラコントローラ１０１へ送信する。カメラコントローラ１０１は、画像データに所定の画像処理を施し、画像表示制御部１０４へ送信する。画像表示制御部１０４は、画像データをディスプレイ１１０に可視像として表示させる。
【０１４１】
また、コントラスト検出部１０６は、ウォブリングと関連付けて画像データのコントラスト値を演算により求めてカメラコントローラ１０１へ送信する。カメラコントローラ１０１は、コントラスト検出部１０６の検出結果に基づいて、レンズコントローラ２０１へフォーカシングレンズ群のフォーカシング移動方向と移動量を決定し、これらに関する情報をレンズコントローラ２０１へ送信する。レンズコントローラ２０１は、フォーカシングレンズ群２０９ｂを移動するように、フォーカス制御部２０４へ制御信号を出力する。フォーカス制御部２０４は、レンズコントローラ２０１からの制御信号に基づいてフォーカシングレンズ群２０９ｂを駆動する。
【０１４２】
ライブビュー状態でオートフォーカスを行う場合、以上の動作が繰り返される。このように、ライブビュー状態でオートフォーカスを行う場合、フォーカシングレンズ群２０９ｂのウォブリングが継続して行われる。このとき、各実施の形態のズームレンズ系は、ウォブリングの際の像倍率変化が小さく、軽量であるので、上記システムに好適な撮像レンズ系となる。
【０１４３】
以上説明した実施の形態９では、ズームレンズ系として実施の形態１に記載したズームレンズ系を適用した例を説明したが、他の実施の形態に係るズームレンズ系を適用しても良いことは言うまでもない。
【実施例】
【０１４４】
以下、実施の形態１〜８に係るズームレンズ系を具体的に実施した数値実施例を説明する。後述するように、数値実施例１〜８は、それぞれ実施の形態１〜８に対応する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
0005314479.tif 000002
ここで、κは円錐定数、Ａ４、Ａ６、Ａ８、Ａ１０及びＡ１２は、それぞれ４次、６次、８次、１０次及び１２次の非球面係数である。
【０１４５】
図２、６、１０、１４、１８、２２、２６、３０は、各々数値実施例１、２、３、４、５、６、７、８に係るズームレンズ系の無限遠合焦状態の縦収差図である。
【０１４６】
図３、７、１１、１５、１９、２３、２７、３１は、各々数値実施例１、２、３、４、５、６、７、８に係るズームレンズ系の近接合焦状態の縦収差図である。
【０１４７】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１４８】
各数値実施例において、無限遠合焦状態の縦収差図と近接合焦状態の縦収差図とから明らかなように、各ズームレンズ系は、近接合焦状態においても無限遠合焦状態と同様の良好な収差性能を達成している。
【０１４９】
図４、８、１２、１６、２０、２４、２８、３２は、それぞれ数値実施例１、２、３、４、５、６、７、８に係るズームレンズ系の像ぶれ補正を行っていない基本状態及び像ぶれ補正状態での横収差図である。
【０１５０】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態にそれぞれ対応する。基本状態の各横収差図のうち、上段は最大像高の７５％の像点における横収差、中段は軸上像点における横収差、下段は最大像高の−７５％の像点における横収差に、それぞれ対応する。像ぶれ補正状態の各横収差図のうち、上段は最大像高の７５％の像点における横収差、中段は軸上像点における横収差、下段は最大像高の−７５％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸を含む平面としている。
【０１５１】
なお、各数値実施例のズームレンズ系について、望遠端における、像ぶれ補正状態での補正レンズ群の光軸と垂直な方向への移動量（ＹT）は、以下に示すとおりである。
【表１】
0005314479.tif 000003
【０１５２】
各横収差図から明らかなように、各ズームレンズ系は、軸上像点における横収差の対称性が良好であることがわかる。また、＋７５％像点における横収差と−７５％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、結像特性を低下させることなく充分な像ぶれ補正を行うことが可能である。
【０１５３】
（数値実施例１）
数値実施例１のズームレンズ系は、図１に示した実施の形態１に対応する。数値実施例１のズームレンズ系のデータを以下の表に示す。
【０１５４】
面データ
面番号         r           d           nd         vd                
物面             ∞        可変                                   
1         79.88860     1.20000     1.84666    23.8               
2         55.84100     4.38040     1.49700    81.6               
3       -538.09420     0.20000                                   
4         40.97500     4.17440     1.48749    70.4               
5        171.38530        可変                                   
6        149.25700     0.80000     1.83400    37.3               
7         19.24660     4.98360                                   
8         31.30520     2.43820     1.84666    23.8               
9        795.70900        可変                                   
10        -46.11980     0.79940     1.77250    49.6               
11         37.65760     0.68440                                   
12         22.26400     1.39710     1.92286    20.9               
13         26.59940     8.97180                                   
14(絞り)           ∞        可変                                   
15        -85.03340     1.80330     1.49700    81.6               
16        -35.73500     0.10050                                   
17        165.76270     2.00390     1.49700    81.6               
18        -69.04310     0.20000                                   
19         54.65300     0.80000     1.92286    20.9               
20         37.32040     2.79140     1.49700    81.6               
21        -93.02670     0.20000                                   
22         33.57310     3.54500     1.49700    81.6               
23        -37.21710     0.80220     1.88300    40.8               
24        -94.83610        可変                                   
25       3674.43700     0.70110     1.77250    49.6               
26         23.16340        可変                                   
27         54.32140     2.27740     1.75520    27.5               
28        -46.59960     0.10000                                   
29        153.18810     0.80000     1.83481    42.7               
30         25.42440        可変                                   
31               ∞     4.20000     1.51680    64.2               
32               ∞      BF                                       
像面             ∞                                               
各種データ
ズーム比     4.68638
広角      中間     望遠       広角      中間     望遠
焦点距離      41.2718   89.3913  193.4154   40.8785   86.3288  175.1678
Ｆナンバー     3.59391   4.65880   6.26304   3.59488   4.66053   6.38448
画角        15.0327    6.8445    3.1916   15.0591    6.8432    3.1309
像高        11.0300   11.0300   11.0300   11.0300   11.0300   11.0300
レンズ全長    116.3210  129.8654  154.5799  116.3339  129.8760  154.4691
ＢＦ        0.99156   1.01132   0.99975   1.01382   1.02127   0.89152
d0               ∞        ∞        ∞ 3883.6791 3870.1455 3845.4204 
d5           1.6530   22.7100   32.4306    1.6530   22.7100   32.4306 
d9           8.5027    3.4756    5.9904    8.5027    3.4756    5.9904 
d14         16.9073    8.9078    1.1313   16.9073    8.9078    1.1313 
d24         15.3069   10.4853    1.0412   15.4706   11.0079    2.1911 
d26          2.7426    3.3486   12.6422    2.5696    2.8266   11.4897 
d30         19.8628   29.5727   49.9904   19.8628   29.5727   49.9904 
【０１５５】
（数値実施例２）
数値実施例２のズームレンズ系は、図５に示した実施の形態２に対応する。数値実施例２のズームレンズ系のデータを以下の表に示す。
【０１５６】
面データ
面番号         r           d           nd         vd                
物面             ∞        可変                                   
1         96.08820     1.20030     1.84666    23.8               
2         61.13150     4.96580     1.49700    81.6               
3       -233.55870     0.20000                                   
4         47.75020     3.83530     1.48749    70.4               
5        206.95980        可変                                   
6       -107.60720     0.89610     1.88300    40.8               
7         21.03400     0.25840                                   
8         24.92220     2.49620     1.78470    26.1               
9       -228.53650        可変                                   
10        -37.42360     0.90270     1.83481    42.7               
11         27.11510     0.10000                                   
12         24.16450     1.63050     1.92286    20.9               
13         55.10970     7.17610                                   
14(絞り)           ∞        可変                                   
15       -198.76890     2.19660     1.49700    81.6               
16        -33.20810     0.18370                                   
17         60.33330     2.29510     1.49700    81.6               
18       -114.41090     0.15780                                   
19        170.03360     0.89890     1.84666    23.8               
20         28.36260     0.20320                                   
21         29.80500     3.66370     1.49700    81.6               
22        -61.71440     0.19890                                   
23         32.38510     2.88520     1.58921    41.0               
24       -215.78670        可変                                   
25*      -696.90530     0.95800     1.69100    54.7               
26*        18.48420        可変                                   
27         25.42090     1.63640     1.84666    23.8               
28         41.70670        可変                                   
29               ∞     4.20000     1.51680    64.2               
30               ∞      BF                                       
像面             ∞                                               
非球面データ
第25面
K= 0.00000E+00, A4=-1.34852E-05, A6= 4.68839E-07, A8=-4.71690E-09 
A10= 1.38874E-11 
第26面
K= 0.00000E+00, A4=-2.58833E-05, A6= 5.06789E-07, A8=-4.85574E-09 
A10= 7.62677E-12 
各種データ
ズーム比     4.38240
広角      中間     望遠       広角      中間     望遠
焦点距離      41.5596   88.1623  182.1306   41.1818   87.7556  174.5136
Ｆナンバー     3.70547   4.32493   5.80463   3.70197   4.45073   6.19004
画角        15.5868    7.0732    3.4237   15.5982    6.8813    3.2215
像高        11.0300   11.0300   11.0300   11.0300   11.0300   11.0300
レンズ全長    111.2799  131.2672  153.1675  111.2848  132.6071  156.5461
ＢＦ        1.02055   1.02107   1.02173   1.02549   3.87898   5.91833
d0               ∞        ∞        ∞ 4000.0000 4000.0000 4000.0000 
d5           1.4200   27.8703   40.9047    1.4200   27.8703   40.9047 
d9          14.2808    5.0996    1.7207   14.2808    4.8789    1.5000 
d14          9.1160    7.3403    1.4733    9.1160    7.3403    1.4733 
d24         20.8421   12.4878    1.9989   21.0270   12.4890    2.6288 
d26          1.5346    1.0433    1.8495    1.3497    0.5243    0.7018 
d28         19.9269   33.2659   61.0598   19.9269   32.4864   60.2803 
【０１５７】
（数値実施例３）
数値実施例３のズームレンズ系は、図９に示した実施の形態１に対応する。数値実施例３のズームレンズ系のデータを以下の表に示す。
【０１５８】
面データ
面番号         r           d           nd         vd                
物面             ∞        可変                                   
1         78.42590     1.19980     1.87800    38.2               
2         46.72820     6.00690     1.49700    81.6               
3        350.38430     0.19360                                   
4         48.17050     5.84260     1.49700    81.4               
5       1457.09620        可変                                   
6       -201.19250     1.00000     1.75670    36.3               
7         30.51420     9.30230                                   
8         42.78680     2.10060     1.82027    29.7               
9      -1708.73110        可変                                   
10        -45.94270     0.79990     1.75500    52.3               
11         13.13030     2.22310     1.84666    23.9               
12         37.49120     2.00070                                   
13(絞り)           ∞        可変                                   
14        258.91190     2.09420     1.59380    61.4               
15        -31.30260     0.19920                                   
16        269.94740     4.08650     1.52540    70.5               
17        -18.77030     0.79960     1.83918    23.9               
18       -167.79930        可変                                   
19       -366.58870     3.09910     1.49700    81.6               
20        -32.55030     0.20020                                   
21         48.78510     2.47730     1.71852    33.5               
22       -551.02540        可変                                   
23        123.85260     0.77430     1.71371    54.5               
24         27.80440        可変                                   
25               ∞     4.19990     1.51680    64.2               
26               ∞     1.20462                                   
像面             ∞     0.00000                                   
各種データ
ズーム比     4.70663
広角      中間     望遠       広角      中間     望遠
焦点距離      41.3304   89.7286  194.5268   41.1585   88.0536  178.8076
Ｆナンバー     3.71919   5.10373   5.99992   3.72518   5.13555   6.16865
画角        15.7997    6.9927    3.1902   15.7691    6.9514    3.1059
像高        11.0300   11.0300   11.0300   11.0300   11.0300   11.0300
レンズ全長    135.1359  152.7756  171.2381  135.1538  152.7643  171.3291
ＢＦ        1.20462   1.24030   1.30620   1.22216   1.22902   1.39756
d0               ∞        ∞        ∞ 4000.0000 4000.0000 4000.0000 
d5           2.4969   30.6249   41.5125    2.4969   30.6249   41.5125 
d9          17.1808    2.6465   13.0905   17.1808    2.6465   13.0905 
d13         14.3097    9.7475    1.4834   14.3097    9.7475    1.4834 
d18          9.5266    9.5266    9.5266    9.3169    8.8948    7.5627 
d22         24.0081   14.2184    2.0000   24.2179   14.8502    3.9640 
d24         17.8096   36.1716   53.7187   17.8096   36.1716   53.7186 
【０１５９】
（数値実施例４）
数値実施例４のズームレンズ系は、図１３に示した実施の形態４に対応する。数値実施例４のズームレンズ系のデータを以下の表に示す。
【０１６０】
面データ
面番号         r           d           nd         vd                
物面             ∞          ∞                                   
1         79.59080     1.50000     1.87800    38.2               
2         46.59430     5.45970     1.49700    81.6               
3        155.01950     0.19360                                   
4         43.44630     6.11360     1.49700    81.6               
5        211.45010        可変                                   
6        -64.05960     0.90000     1.75670    36.3               
7         22.89500     2.89770     1.82114    24.1               
8        249.92920     1.00000                                   
9       -340.83290     1.13370     1.75670    36.3               
10         25.32540     2.10770     1.84666    23.8               
11         68.82910        可変                                   
12(絞り)           ∞     1.40000                                   
13       2150.07340     1.44350     1.59380    61.4               
14        -69.29450     0.10100                                   
15         48.20190     2.29980     1.52540    70.5               
16        -30.63980     0.75000     1.83918    23.9               
17        -94.66950        可変                                   
18        234.43110     1.57580     1.49700    81.6               
19       -113.37950    10.20840                                   
20        117.93500     1.74200     1.71852    33.5               
21       -186.97620        可変                                   
22        -49.72050     0.77430     1.49700    81.4               
23         35.46500        可変                                   
24               ∞     4.19990     1.51680    64.2               
25               ∞     0.96800                                   
26               ∞     0.00000                                   
27               ∞     0.05779                                   
像面             ∞     0.00000                                   
各種データ
ズーム比     4.70111
広角      中間      望遠     広角      中間      望遠
物体距離      INF       INF      INF          4000      4000     4000
焦点距離      41.2110   89.3336  193.7326    40.9238   85.8540  175.9349
Ｆナンバー     3.73123   4.26565   7.17771    3.75311   4.29688   7.26520
画角        16.2431    7.0701    3.2335     16.1200    7.0087    3.1923
像高        11.0300   11.0300   11.0300    11.0300   11.0300   11.0300
レンズ全長    118.8851  135.5682  162.6738    118.9674  135.6579  163.0442
ＢＦ        0.05779   0.15305  -0.10748    0.24003   0.24277   0.26307
d5           4.0000   37.0408   46.5472     4.0000   37.0408   46.5472  
d11         29.1704   12.4000    1.4999     29.1704   12.4000    1.4999
d17          9.5265    9.5266    9.5269     9.1980    8.3391    7.6216
d21         26.3617   17.1321    1.6000    26.5903   18.3196    3.5051  
d23          3.0000   12.5469   56.8386     3.0000   12.5469   56.8386 
【０１６１】
（数値実施例５）
数値実施例５のズームレンズ系は、図１７に示した実施の形態５に対応する。数値実施例５のズームレンズ系のデータを以下の表に示す。
【０１６２】
面データ
面番号         r           d           nd         vd                
物面             ∞        可変                                   
1        101.86910     1.29990     1.84666    23.8               
2         66.30390     5.97060     1.49700    81.6               
3       -228.10900     0.10000                                   
4         35.31660     5.13250     1.48749    70.4               
5         86.31380        可変                                   
6         87.50050     0.72560     1.83400    37.3               
7         18.84310     3.61870                                   
8         25.42790     2.31830     1.84666    23.8               
9         79.88120    10.33950                                   
10        -43.20810     0.70000     1.68966    53.0               
11         31.99480     0.10000                                   
12         21.48710     1.67870     1.84666    23.8               
13         26.79970     6.04420                                   
14(絞り)           ∞        可変                                   
15       -894.97490     1.95800     1.49700    81.6               
16        -46.15270     0.10000                                   
17      -1236.84750     1.71990     1.49700    81.6               
18        -64.62930     0.10000                                   
19         57.92080     0.70000     1.92286    20.9               
20         40.65290     2.72120     1.49700    81.6               
21        -69.36640     0.10000                                   
22         32.56890     3.31170     1.49700    81.6               
23        -39.36570     0.70000     1.88300    40.8               
24       -108.41110        可変                                   
25        -70.52180     0.70000     1.80420    46.5               
26         35.99030        可変                                   
27         64.19020     2.38010     1.75520    27.5               
28        -42.09660     0.16700                                   
29         42.28970     0.92740     1.83481    42.7               
30         18.48540        可変                                   
31               ∞     4.20000     1.51680    64.2               
32               ∞     1.01774                                   
像面             ∞     0.00000                                   
各種データ
ズーム比      4.17372
広角      中間     望遠       広角      中間     望遠
焦点距離      46.2021   93.1218  192.8345   45.7045   89.2199  175.2455
Ｆナンバー     3.96589   3.41298   5.83505   3.97342   3.42649   5.92175
画角        13.4051    6.5844    3.1782   13.4334    6.6355    3.1114
像高        11.0300   11.0300   11.0300   11.0300   11.0300   11.0300
レンズ全長    118.3633  136.6181  154.8564  118.3706  136.6451  154.7802
ＢＦ        1.01774   1.05534   0.98741   1.00732   1.08544   0.90846
d0               ∞        ∞        ∞ 3884.0557 3864.6948 3845.7762 
d5           1.2000   26.5739   30.8067    1.2000   26.5739   30.8067 
d14         17.8126   16.0634    1.5284   17.8126   16.0634    1.5284 
d24         14.6195    9.7262    2.0014   14.8046   10.4834    3.2462 
d26          2.7154    6.5150   14.0847    2.5480    5.7547   12.8426 
d30         23.1848   18.8710   47.6345   23.1848   18.8710   47.6345 
【０１６３】
（数値実施例６）
数値実施例６のズームレンズ系は、図２１に示した実施の形態６に対応する。数値実施例６のズームレンズ系のデータを以下の表に示す。
【０１６４】
面データ
面番号         r           d           nd         vd                
物面             ∞        可変                                   
1        105.76950     1.50000     1.87800    38.2               
2         53.77680     6.66460     1.49700    81.6               
3        340.13350     0.19360                                   
4         46.97100     7.40980     1.49700    81.6               
5        373.40520        可変                                   
6        -52.72810     0.90000     1.75670    36.3               
7         26.40860     2.97170     1.82114    24.1               
8       -861.19410     1.00000                                   
9       -421.29720     0.80000     1.75670    36.3               
10         19.82580     2.47080     1.84666    23.8               
11         50.87700        可変                                   
12(絞り)           ∞     1.50000                                   
13        203.59460     1.63710     1.59380    61.4               
14        -85.30760     0.19920                                   
15         91.20520     2.64410     1.52540    70.5               
16        -31.81360     0.90020     1.83918    23.9               
17        -60.29420        可変                                   
18        -99.01460     2.94700     1.52540    70.5               
19        -22.70510     1.00040     1.84666    23.8               
20        -54.22510     6.00000                                   
21        138.03640     2.71030     1.80518    25.5               
22        -60.84110        可変                                   
23        -97.88170     0.77430     1.49700    81.6               
24         31.95350        可変                                   
25               ∞     4.20000     1.51680    64.2               
26               ∞      BF                                       
像面             ∞                                               
各種データ
ズーム比     4.70947
広角      中間      望遠      広角4m    中間4m    望遠4m
焦点距離      41.2032   89.4043  194.0453   40.8452   86.3119  125.0668
Ｆナンバー     3.78895   3.83625   6.26967   3.79514   3.87060   4.85795
画角        16.2596    7.0951    3.2212   16.2338    7.0456    4.6874
像高        11.0300   11.0300   11.0300   11.0300   11.0300   11.0300
レンズ全長    131.4548  146.9379  171.9059  131.4911  147.0370  160.4176
ＢＦ        1.03034   1.02675   0.90588   1.06657   1.12591   1.08122
d0               ∞        ∞        ∞ 4000.0000 4000.0000 4000.0000 
d5           2.5000   40.8069   49.0288    2.5000   40.8069   46.4214 
d11         30.8728   15.8915    1.4999   30.8728   15.8915   10.0988 
d17         14.2711    4.6788   17.4979   13.9532    3.5098   12.8857 
d22         27.3576   19.4750    1.6000   27.6755   20.6440   11.5067 
d24          6.9999   16.6358   52.9503    6.9999   16.6358   30.0007 
【０１６５】
（数値実施例７）
数値実施例７のズームレンズ系は、図２５に示した実施の形態７に対応する。数値実施例７のズームレンズ系のデータを以下の表に示す。
【０１６６】
面データ
面番号         r           d           nd         vd                
物面             ∞        可変                                   
1        133.97580     1.50000     1.87800    38.2               
2         54.58420     5.00400     1.50670    70.5               
3       1075.41130     0.19360                                   
4         43.51440     5.40920     1.51728    69.7               
5        242.29340        可変                                   
6        -80.32780     0.90000     1.75670    36.3               
7         24.31060     2.81800     1.82114    24.1               
8        152.98760     1.00000                                   
9      -1049.55300     1.00000     1.75670    36.3               
10         24.15810     2.30750     1.84666    23.8               
11         59.62080        可変                                   
12(絞り)           ∞     1.50000                                   
13        143.63780     1.88880     1.66547    55.2               
14        -74.54950     0.20050                                   
15         44.83610     3.29630     1.52540    70.5               
16        -32.57430     0.90000     1.84666    23.9               
17       -172.05390        可変                                   
18         52.13910     2.37690     1.78470    26.1               
19        -78.22600     0.99990     1.82027    29.7               
20         37.68050        可変                                   
21        141.35740     2.37490     1.70154    41.1               
22        -51.35740        可変                                   
23        -46.71740     0.77430     1.49700    81.6               
24         55.22610        可変                                   
25               ∞     4.20000     1.51680    64.2               
26               ∞      BF                                       
像面             ∞                                               
各種データ
ズーム比     4.71245
広角      中間       望遠     広角      中間      望遠
焦点距離      41.2015   89.3994  194.1600   40.9681   86.6940  180.6754
Ｆナンバー     3.90425   4.07258   7.14509   3.92458   4.12550   7.33808
画角        15.9191    7.0860    3.2323   15.8152    6.9747    3.1428
像高        11.0300   11.0300   11.0300   11.0300   11.0300   11.0300
レンズ全長    130.0317  149.2917  169.9737  130.0471  149.3164  170.0282
ＢＦ        1.03191   0.94925   0.97392   1.04716   0.97387   1.02829
d0               ∞        ∞        ∞ 4000.0000 4000.0000 4000.0000 
d5           2.5522   38.3334   43.0238    2.5522   38.3334   43.0238 
d11         38.3240   19.3298    1.5000   38.3240   19.3298    1.5000 
d17         11.6995   14.2015    5.0616   12.9797   19.4535   12.2746 
d20          4.4053    9.3079   12.2129    3.1252    4.0559    5.0000 
d22         26.3749   18.5146    3.0265   26.3749   18.5146    3.0265 
d24          7.0000   10.0114   65.5311    7.0000   10.0114   65.5311 
【０１６７】
（数値実施例８）
数値実施例８のズームレンズ系は、図２９に示した実施の形態８に対応する。数値実施例８のズームレンズ系のデータを以下の表に示す。
【０１６８】
面データ
面番号         r           d           nd         vd                
物面             ∞        可変                                   
1         82.85600     1.20000     1.84666    23.8               
2         61.48560     9.13460     1.49700    81.6               
3      -2787.80860     0.20000                                   
4         49.43870     6.71990     1.49700    81.6               
5        110.76750        可変                                   
6         30.95520     0.80000     1.88267    40.8               
7         10.98510     5.70370                                   
8*       -62.02010     1.20000     1.85976    40.5               
9         42.27070     0.10290                                   
10         20.41600     2.80850     1.92286    20.9               
11        126.26210        可変                                   
12        -79.87880     1.52840     1.92286    20.9               
13        -30.93440     0.59470                                   
14        -18.98130     0.80000     1.88287    40.8               
15         44.94670     1.35130     1.92286    20.9               
16*       138.81620        可変                           a        
17(絞り)           ∞     1.50000                                   
18         26.19950     1.98620     1.81231    45.2               
19       -980.82960     0.10000                                   
20         24.81860     2.05170     1.66588    58.4               
21       -869.28790     2.59320                                   
22        -45.80690     0.80000     1.92286    20.9               
23         46.31110     0.10000                                   
24         30.60210     2.11400     1.49700    81.6               
25        -54.37230     2.95370                                   
26*        54.72500     0.80000     1.74728    51.2               
27         31.33230     2.35990     1.56650    69.0               
28        -26.99190        可変                                   
29        -56.63870     1.33670     1.84666    23.8               
30        -28.85260     0.80000     1.81159    45.3               
31*       109.74970        可変                                   
32         77.53990     2.08690     1.62538    35.6               
33        -38.55300     0.89750                                   
34        -17.33640     0.80000     1.88289    40.8               
35        -68.31790     0.10000                                   
36         41.63170     1.65490     1.65233    32.6               
37        214.46340        可変                                   
38               ∞     4.20000     1.51680    64.2               
39               ∞      BF                                       
像面             ∞                                               
非球面データ
第8面
K= 0.00000E+00, A4=-1.55711E-05, A6= 5.12022E-08, A8=-2.29523E-09 
A10= 1.12839E-11 
第16面
K= 0.00000E+00, A4=-1.02230E-05, A6= 2.34863E-08, A8=-1.21507E-09 
A10= 2.21100E-11 
第26面
K= 0.00000E+00, A4=-6.08663E-05, A6=-1.02979E-07, A8=-1.95916E-10 
A10= 6.57580E-12 
第31面
K= 0.00000E+00, A4=-1.20760E-05, A6=-2.63940E-07, A8= 7.32088E-09 
A10=-8.30305E-11 
各種データ
ズーム比     10.08912
広角      中間     望遠       広角      中間     望遠
焦点距離      14.4195   45.8042  145.4801   14.4013   45.3347  135.4949
Ｆナンバー     3.60057   4.19379   5.80043   3.60094   4.20803   5.85992
画角        40.4346   13.5612    4.2125   40.5080   13.5842    4.1940
像高        11.0300   11.0300   11.0300   11.0300   11.0300   11.0300
レンズ全長    100.6138  130.7860  164.5049  100.6170  130.8113  164.4475
ＢＦ        1.00676   1.07461   0.98186   1.00193   1.09928   0.95442
d0               ∞        ∞        ∞ 3884.0557 3864.6948 3845.7762 
d5           1.0000   30.6930   56.5691    1.0000   30.6930   56.5691 
d11          3.7603    2.8658    2.0000    3.7603    2.8658    2.0000 
d16         15.1769    4.8771    1.5000   15.1769    4.8771    1.5000 
d28          2.0675    7.3071    1.0000    2.1059    7.5949    2.6531 
d31          5.0503    2.6335   15.6147    5.0200    2.3463   13.9317 
d37         11.1733   19.9562   25.4605   11.1733   19.9562   25.4605 
【０１６９】
以下の表に、各数値実施例に係るズームレンズ系における各条件の対応値を示す。
【表２】
0005314479.tif 000004
【産業上の利用可能性】
【０１７０】
本発明に係るズームレンズ系は、デジタルスチルカメラ、デジタルビデオカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルスチルカメラ、デジタルビデオカメラ等の高画質が要求される撮影光学系に好適である。
【図面の簡単な説明】
【０１７１】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の近接合焦状態の縦収差図
【図４】実施例１に係るズームレンズ系の望遠端における、像ぶれ補正を行っていない基本状態及び像ぶれ補正状態での横収差図
【図５】実施の形態２（実施例２）に係るズームレンズ系の無限遠合焦状態を示すレンズ配置図
【図６】実施例２に係るズームレンズ系の無限遠合焦状態の縦収差図
【図７】実施例２に係るズームレンズ系の近接合焦状態の縦収差図
【図８】実施例２に係るズームレンズ系の望遠端における、像ぶれ補正を行っていない基本状態及び像ぶれ補正状態での横収差図
【図９】実施の形態３（実施例３）に係るズームレンズ系の無限遠合焦状態を示すレンズ配置図
【図１０】実施例３に係るズームレンズ系の無限遠合焦状態の縦収差図
【図１１】実施例３に係るズームレンズ系の近接合焦状態の縦収差図
【図１２】実施例３に係るズームレンズ系の望遠端における、像ぶれ補正を行っていない基本状態及び像ぶれ補正状態での横収差図
【図１３】実施の形態４（実施例４）に係るズームレンズ系の無限遠合焦状態を示すレンズ配置図
【図１４】実施例４に係るズームレンズ系の無限遠合焦状態の縦収差図
【図１５】実施例４に係るズームレンズ系の近接合焦状態の縦収差図
【図１６】実施例４に係るズームレンズ系の望遠端における、像ぶれ補正を行っていない基本状態及び像ぶれ補正状態での横収差図
【図１７】実施の形態５（実施例５）に係るズームレンズ系の無限遠合焦状態を示すレンズ配置図
【図１８】実施例５に係るズームレンズ系の無限遠合焦状態の縦収差図
【図１９】実施例５に係るズームレンズ系の近接合焦状態の縦収差図
【図２０】実施例５に係るズームレンズ系の望遠端における、像ぶれ補正を行っていない基本状態及び像ぶれ補正状態での横収差図
【図２１】実施の形態６（実施例６）に係るズームレンズ系の無限遠合焦状態を示すレンズ配置図
【図２２】実施例６に係るズームレンズ系の無限遠合焦状態の縦収差図
【図２３】実施例６に係るズームレンズ系の近接合焦状態の縦収差図
【図２４】実施例６に係るズームレンズ系の望遠端における、像ぶれ補正を行っていない基本状態及び像ぶれ補正状態での横収差図
【図２５】実施の形態７（実施例７）に係るズームレンズ系の無限遠合焦状態を示すレンズ配置図
【図２６】実施例７に係るズームレンズ系の無限遠合焦状態の縦収差図
【図２７】実施例７に係るズームレンズ系の近接合焦状態の縦収差図
【図２８】実施例７に係るズームレンズ系の望遠端における、像ぶれ補正を行っていない基本状態及び像ぶれ補正状態での横収差図
【図２９】実施の形態８（実施例８）に係るズームレンズ系の無限遠合焦状態を示すレンズ配置図
【図３０】実施例８に係るズームレンズ系の無限遠合焦状態の縦収差図
【図３１】実施例８に係るズームレンズ系の近接合焦状態の縦収差図
【図３２】実施例８に係るズームレンズ系の望遠端における、像ぶれ補正を行っていない基本状態及び像ぶれ補正状態での横収差図
【図３３】実施の形態９に係るカメラシステムのブロック図
【符号の説明】
【０１７２】
１００  カメラ本体
１０１  カメラコントローラ
１０２  撮像センサ
１０３  シャッタユニット
１０４  画像表示制御部
１０５  撮像センサ制御部
１０６  コントラスト検出部
１０７  シャッタユニット制御部
１０８  画像記録制御部
１０９  メモリカード
１１０  ディスプレイ
１１１  レリーズ釦
１１２  メモリ（本体）
１１３  電源
１１４  カメラマウント
２００  交換レンズ装置
２０１  レンズコントローラ
２０２  像ぶれ補正部
２０３  絞り制御部
２０４  フォーカス制御部
２０５  ズーム制御部
２０６  メモリ（レンズ）
２０７  ぶれ検出部
２０８  絞りユニット
２０９  ズームレンズ系
２０９ａ  ズームレンズ群
２０９ｂ  フォーカシングレンズ群
２１０  レンズマウント
【図１】
0005314479.tif 000005
【図２】
0005314479.tif 000006
【図３】
0005314479.tif 000007
【図４】
0005314479.tif 000008
【図５】
0005314479.tif 000009
【図６】
0005314479.tif 000010
【図７】
0005314479.tif 000011
【図８】
0005314479.tif 000012
【図９】
0005314479.tif 000013
【図１０】
0005314479.tif 000014
【図１１】
0005314479.tif 000015
【図１２】
0005314479.tif 000016
【図１３】
0005314479.tif 000017
【図１４】
0005314479.tif 000018
【図１５】
0005314479.tif 000019
【図１６】
0005314479.tif 000020
【図１７】
0005314479.tif 000021
【図１８】
0005314479.tif 000022
【図１９】
0005314479.tif 000023
【図２０】
0005314479.tif 000024
【図２１】
0005314479.tif 000025
【図２２】
0005314479.tif 000026
【図２３】
0005314479.tif 000027
【図２４】
0005314479.tif 000028
【図２５】
0005314479.tif 000029
【図２６】
0005314479.tif 000030
【図２７】
0005314479.tif 000031
【図２８】
0005314479.tif 000032
【図２９】
0005314479.tif 000033
【図３０】
0005314479.tif 000034
【図３１】
0005314479.tif 000035
【図３２】
0005314479.tif 000036
【図３３】
0005314479.tif 000037